(57)【要約】      （修正有）【課題】エネルギーを効率よく使用して、省エネルギー化を図ることができる防曇鏡を提供する。【解決手段】防曇領域１５と非防曇領域１６とを鏡面に有する防曇鏡である。ミラー１と、このミラー１の端部に設けられた照明装置３と、ミラー１の後面に重ねられた放熱板２とを備えている。放熱板２は、ミラー１の防曇領域に対応する後面に重ねられた放熱部２２と、非防曇領域１６に対応する箇所に設けられた切欠部２３とを有している。【選択図】図１
2014171820.tif 000002
【特許請求の範囲】
【請求項１】
防曇領域と非防曇領域とを鏡面に有する防曇鏡であって、
前方に鏡面が臨むミラーと、
このミラーの端部に設けられ当該ミラーの外側に向かって光照射する照明装置と、
前記ミラーの後面に重ねられ前記照明装置から発生した熱を放熱する放熱板と
を備え、
前記放熱板は、
前記ミラーの前記防曇領域に対応する後面に重ねられた放熱部と、
前記非防曇領域に対応する箇所に設けられた切欠部と
を有している
ことを特徴とする防曇鏡。
【請求項２】
前記照明装置は、
前記放熱板の端部の後面に設けられ後方に向かって発光する光源と、
この光源の後方に設けられ当該光源から発せられた光を前記ミラーの外側に向けて反射する反射板と
を備えている
ことを特徴とする請求項１記載の防曇鏡。
【請求項３】
前記照明装置は、
前記放熱板の端部が後方に向かって折曲された第一折曲部と、
この第一折曲部の後方側の端部が前記ミラーの外側に向かって折曲された第二折曲部と、
前記第一折曲部の外側の側面に設けられ前記ミラーの外側に向かって発光する光源と
を備えている
ことを特徴とする請求項１記載の防曇鏡。
【発明の詳細な説明】
【技術分野】
【０００１】
本発明は、防曇鏡に関する。
【背景技術】
【０００２】
特許文献１には、従来の防曇鏡が開示されている。この特許文献１記載の防曇鏡は、面状発熱体から生じる熱を利用して鏡面の曇り止めを図るものである。この防曇鏡は、電熱線を有する面状発熱体が鏡に重ねられて構成されている。面状発熱体は、電気の供給を受けることで電熱線が発熱し、これにより、鏡を加熱するように構成されている。
【先行技術文献】
【特許文献】
【０００３】
【特許文献１】特開２００６−３２４１６４号公報
【発明の概要】
【発明が解決しようとする課題】
【０００４】
ところで特許文献１記載の防曇鏡は、鏡面の曇り止めのためだけに、面状発熱体に電気を供給する必要がある。その上、ユーザーは、面状発熱体の電源スイッチをＯＮにしたままの状態であることを忘れやすい。従って、特許文献１記載の防曇鏡は、エネルギーの無駄が多く、省エネルギー性に劣るという問題がある。
【０００５】
本発明は、上記事情に鑑みてなされたものであり、その目的とするところは、エネルギーを効率よく使用して、省エネルギー化を図ることができる防曇鏡を提供することにある。
【課題を解決するための手段】
【０００６】
本発明の防曇鏡は、防曇領域と非防曇領域とを鏡面に有する防曇鏡であって、前方に鏡面が臨むミラーと、このミラーの端部に設けられ当該ミラーの外側に向かって光照射する照明装置と、前記ミラーの後面に重ねられ前記照明装置から発生した熱を放熱する放熱板とを備え、前記放熱板は、前記ミラーの前記防曇領域に対応する後面に重ねられた放熱部と、前記非防曇領域に対応する箇所に設けられた切欠部とを有していることを特徴とする。
【０００７】
またこの防曇鏡において、前記照明装置は、前記放熱板の端部の後面に設けられ後方に向かって発光する光源と、この光源の後方に設けられ当該光源から発せられた光を前記ミラーの外側に向けて反射する反射板とを備えていることが好ましい。
【０００８】
またこの防曇鏡において、前記照明装置は、前記放熱板の端部が後方に向かって折曲された第一折曲部と、この第一折曲部の後方側の端部が前記ミラーの外側に向かって折曲された第二折曲部と、前記第一折曲部の外側の側面に設けられ前記ミラーの外側に向かって発光する光源とを備えていることが好ましい。
【発明の効果】
【０００９】
本発明の防曇鏡は、ミラーに設けられた照明装置の排熱を利用して、鏡面の曇り止めを図ることができるため、エネルギー効率を向上させることができる。その上、本発明の防曇鏡は、曇り止めが必要な箇所にのみ放熱部が設けられ、それ以外の箇所に切欠部が設けられているので、照明装置から発生する熱を効果的に防曇領域に集めることができる。また、照明装置の点灯と曇り止めとが連動するため、ユーザーが電源をＯＮにしたまま忘れてしまうことが起こりにくい。
【００１０】
この結果、本発明の防曇鏡によれば、エネルギーを効率よく使用して、省エネルギー化を図ることができる。
【図面の簡単な説明】
【００１１】
【図１】実施形態１の防曇鏡を背面から見た斜視図である。
【図２】実施形態１の防曇鏡の正面図である。
【図３】実施形態１の照明装置の近傍の要部断面図である。
【図４】実施形態１の防曇鏡を側面および背面から見た斜視図である。
【図５】実施形態２の防曇鏡の正面図である。
【図６】実施形態３の照明装置の近傍の要部断面図である。
【発明を実施するための形態】
【００１２】
以下、本発明の実施形態について添付図面に基づいて説明する。
【００１３】
実施形態１の防曇鏡は、図１に示すように、ミラー１の左右方向の両端部に照明装置３が設けられたものである。防曇鏡は、例えば、浴室や脱衣所等に設けられる。防曇鏡は、例えば、壁面に取り付けられたり、洗面化粧台のキャビネットの扉に取り付けられたりして用いられる。防曇鏡は、ミラー１と、放熱板２と、照明装置３とを備えている。
【００１４】
本実施形態においては、防曇鏡からユーザーが立つ方向に向かう方向が前方向、その反対側に向かう方向が後方向として定義される。また、左右方向の定義は、ユーザーが防曇鏡を見る方向を基準にして決定される。すなわち、図２における矢印９０が右方向、矢印９１が左方向として定義される。
【００１５】
ミラー１は、図２に示すように、上下方向に長さを有し、左右方向に幅を有し、正面視矩形状をしている。ミラー１は、前面に鏡面１４を有する鏡体１１と、鏡体１１の上辺に取り付けられる上縁材１２と、鏡体１１の下辺に取り付けられる下縁材１３とを備えている。
【００１６】
鏡体１１の前面側には鏡面１４が設けられている。鏡面１４は前方に臨んでいる。鏡体１１は、照明装置３から発せられた光が透過しないように構成されている。鏡面１４には、防曇領域１５と、非防曇領域１６とが形成される。防曇領域１５は、少なくとも鏡面１４の中央部を含む領域である。本実施形態の防曇領域１５は、正面視Ｈ状に形成されている。
【００１７】
なお、鏡面１４は、ガラスの後面に金属めっきを施して形成されたものであってもよいし、ガラスの後面に金属を蒸着して形成されたものであってもよい。
【００１８】
放熱板２は、照明装置３から発生する熱を排熱する。放熱板２は、図１に示すように、ミラー１の後面に重ねられる。放熱板２は、ミラー１の後面に密着しており、排熱をミラー１に伝導させる。放熱板２は、金属板により構成されている。放熱板２は、図３に示すように、鏡体１１の裏面との密着性を高めるための伝熱材４を介して鏡体１１の後面に取り付けられている。
【００１９】
なお、伝熱材４としては、例えば、鏡体１１と放熱板２とを相互に固着するものであってもよいし、相互に固着しないものであってもよい。鏡体１１と放熱板２とを相互に固着する伝熱材４としては、熱伝導性の高い接着剤や、熱伝導性の高い両面テープ等が挙げられる。鏡体１１と放熱板２とを相互に固着しない伝熱材４としては、シリコンなどの熱伝導性の高い材料が挙げられる。
【００２０】
放熱板２は、図１に示すように、上下方向に長さを有し、左右方向に幅を有している。放熱板２は、鏡体１１と略同じ大きさに形成されている。放熱板２は、照明取付部２１と、放熱部２２と、切欠部２３とを備えている。
【００２１】
照明取付部２１は、放熱板２の左右方向の両端部に設けられている。照明取付部２１は、上下方向の全長に亙って設けられている。照明取付部２１には、図３に示すように、照明装置３が伝熱材４を介して接触状態で設けられる。
【００２２】
放熱部２２は、放熱板２において照明取付部２１および切欠部２３の両部分以外の部分である。放熱部２２は、後面に接する空気と熱交換すると共に、ミラー１とも熱交換を行ない、これにより照明取付部２１から伝導した熱を放熱する。放熱板２は、放熱部２２からの熱をミラー１に伝導させることによって、ミラー１の曇り止めを行なう。
【００２３】
切欠部２３は、放熱板２の一部が切り欠かれた部分である。各切欠部２３は、矩形状に形成されている。切欠部２３は、放熱板２の上下方向の両端部で、且つ、左右方向の中間部分に設けられている。切欠部２３は、ミラー１の非防曇領域１６に対応する箇所に設けられている。
【００２４】
なお、切欠部２３は、矩形状の金属板の端縁を切り込んでカットしたものであってもよいし、プレス機により打ち抜いたものであってもよく、加工方法は特に限定されない。
【００２５】
照明装置３は、図１に示すように、ミラー１の左右方向の両端部における放熱板２の裏面に設けられている。言い換えると、照明装置３は、ミラー１の左右方向の端部に設けられている。ミラー１の右側に設けられた照明装置３は、右側方に向かって光照射するように設けられている。また、ミラー１の左側に設けられた照明装置３は、左側方に向かって光照射するように設けられている。言い換えると、照明装置３は、ミラー１の左右方向の外側に向かって光照射するように設けられている。各照明装置３は、図３に示すように、光源３１と、反射板３２とを備えている。
【００２６】
光源３１は、複数のＬＥＤ（Light Emitting Diode）が基板に実装されることで構成されている。ＬＥＤは、図４に示すように、ミラー１の左右方向の両端部において、上下方向に並ぶようにして複数配置されている。光源３１は、ミラー１の上下方向の略全長に亙って設けられている。光源３１は、図３に示すように、ミラー１の後面に重ねられた放熱板２の後面に、伝熱材４を介して取り付けられている。光源３１は、発光方向が後方に向かうようにして配設される。
【００２７】
反射板３２は、光源３１から発せられた後方へ向かう光を、ミラー１の外側に向けて反射させる。反射板３２は、白色系の板材や、鏡面を有する樹脂板や金属板などにより構成される。反射板３２は、上下方向に長さを有する帯状の板材により構成される。反射板３２は、固定部３３と、傾斜部３４と、反射部３５とを備えている。固定部３３と傾斜部３４と反射部３５とは、例えば、曲げ加工により一体成形されている。
【００２８】
固定部３３は、放熱板２の裏面に固定される部分である。傾斜部３４と反射部３５とは、固定部３３を介して放熱板２に固定される。傾斜部３４は、固定部３３の一端部（ミラー１の外側の端部）から延出している。傾斜部３４は、後方に向かうほどミラー１の外側に位置するように傾斜している。反射部３５は、傾斜部３４の後方側の先端からミラー１の外側に向かうように延出している。反射部３５は、鏡体１１の後面に平行となっている。
【００２９】
反射板３２が放熱板２の後面に取り付けられると、反射板３２と放熱板２との対向部分は、ミラー１の鏡面１４と平行な方向において、ミラー１の外側に向かって開口する。特に、本実施形態の防曇鏡では、反射板３２と放熱板２との対向部分は、ミラー１の鏡面１４と平行な方向のうち左右方向の外側に向かって開口している。
【００３０】
光源３１が発光すると、光源３１から発せられた光は、反射板３２の傾斜部３４に反射し、放熱板２と反射部３５との間で反射を繰り返しながら、ミラー１の外側に向かって進行する。放熱板２と反射部３５との間で反射した光は、ミラー１の外側に臨む開口を通過し、ミラー１の外側に向かって照射される。
【００３１】
このとき、照明装置３は、発光に伴い発熱が生じる。照明装置３から生じた熱は、伝熱材４を介して放熱板２の照明取付部２１に伝導する。照明取付部２１に伝導した熱は、放熱部２２に向かって伝導し、ミラー１に向かって伝導する（一部は後方側に放熱する）。ミラー１に伝導した熱は、ミラー１を加熱する。ミラー１が加熱されると、鏡面１４は結露が生じにくくなるため曇りにくくなり、これにより防曇効果が及ぼされる。
【００３２】
以上説明したように、本実施形態の防曇鏡は、防曇領域１５と非防曇領域１６とを鏡面１４に有している。防曇鏡は、前方に鏡面が臨むミラー１と、このミラー１の端部に設けられた照明装置３と、照明装置３から発生した熱を放熱する放熱板２とを備えている。照明装置３は、ミラー１の外側に向かって光照射するようにして設けられている。放熱板２は、ミラー１の後面に重ねられるようにして設けられている。放熱板２は、放熱部２２と、切欠部２３とを備えている。放熱部２２は、ミラー１の防曇領域１５に対応する後面に重ねられている。切欠部２３は、非防曇領域１６に対応する箇所に設けられている。
【００３３】
このように、本実施形態の防曇鏡は、鏡面１４の外側の壁等に光照射することができるだけでなく、鏡面１４の必要な箇所に曇り止め効果を及ぼすことができる。すなわち、照明装置３として、排熱すべき熱を鏡面１４の曇り止めに利用することができるため、エネルギーを効果的に利用することができる。また、本実施形態の防曇鏡は、鏡面１４において非防曇領域１６に対応する放熱板２の部分には切欠部２３が設けられているため、照明装置３から発せられた熱を防曇領域１５に集中させやすい。これにより、一層エネルギーを効率よく使用することができて、省エネルギー化を図ることができる。
【００３４】
しかも、本実施形態の防曇鏡は、照明装置３の点灯と鏡面１４の曇り止めとを同時に行なうものであるため、ユーザーが曇り止め機能をＯＮにしたまま忘れてしまうことも防止できる。
【００３５】
また、本実施形態の照明装置３は、光源３１と、反射板３２とを備えている。光源３１は、放熱板２の端部の後面に設けられており、後方に向かって発光する。反射板３２は、この光源３１の後方に設けられており、光源３１から発せられた光をミラー１の外側に向けて反射する。
【００３６】
このように、本実施形態の照明装置３は、光源３１から発せられた光をミラー１の外側に光照射するに当たり、反射板３２に繰り返し反射させるものである。このため、本実施形態の照明装置３によれば、ミラー１の端部から外側に向かって照射される光のムラを抑制することができる。
【００３７】
次に、実施形態２について図５に基づいて説明する。なお、本実施形態は実施形態１と大部分において同じであるため、同じ部分においては同符号を付して説明を省略し、主に異なる部分について説明する。
【００３８】
実施形態２の防曇鏡は、照明装置３がミラー１の上下方向の両端部に設けられている。光源３１は、ミラー１の左右方向の略全長に亙って設けられている。上方側に設けられた照明装置３は、上方に向かって光照射する。下方側に設けられた照明装置３は、下方に向かって光照射する。つまり、この照明装置３は、ミラー１の端部に設けられており、ミラー１の外側に向かって光照射する。
【００３９】
ミラー１は、防曇領域１５と、非防曇領域１６とを有している。防曇領域１５は、少なくとも鏡面１４の中央部を含む領域である。本実施形態の防曇領域１５は、正面視横倒しＨ状に形成される領域である。
【００４０】
放熱板２の切欠部２３は、左右方向の両端部で且つ上下方向の中間部分に設けられている。照明取付部２１は、放熱板２の上方側の端縁と、放熱板２の下方側の端縁とに設けられている。照明取付部２１は、放熱板２の左右方向の全長に亙って設けられている。
【００４１】
このように、本実施形態の防曇鏡も、鏡面１４の外側の壁等を照射することができだけでなく、鏡面１４の必要な箇所に曇り止め効果を及ぼすことができる。これにより、実施形態１と同様、エネルギーを効率よく使用することができて、省エネルギー化を図ることができる。
【００４２】
次に、実施形態３について図６に基づいて説明する。なお、本実施形態は実施形態１と大部分において同じであるため、同じ部分においては同符号を付して説明を省略し、主に異なる部分について説明する。
【００４３】
実施形態３の防曇鏡は、照明装置３が実施形態１の構成とは異なっている。本実施形態の照明装置３は、放熱板２の一部を反射板として利用するものである。照明装置３は、第一折曲部３６と、第二折曲部３７と、光源３１とを備えている。
【００４４】
第一折曲部３６は、放熱板２の本体部分から後方に向かって延出した部分である。第一折曲部３６は、放熱板２の左右方向の端縁を後方に向けて曲げ加工することで形成されている。第一折曲部３６は、鏡面１４とは直交するように形成されている。
【００４５】
第二折曲部３７は、第一折曲部３６の後方側の端部からミラー１の外側に向かって延出している。具体的に、第二折曲部３７は、第一折曲部３６の後方側の端部を、ミラー１の外側に向かって曲げ加工することで形成されている。第二折曲部３７は、第一折曲部３６と直交しており、鏡面１４とは平行となっている。
【００４６】
光源３１は、第一折曲部３６の外側の側面に取り付けられている。光源３１は、第一折曲部３６の側面に伝熱材４を介して固着されている。光源３１は、ミラー１の外側に向かって発光する。
【００４７】
光源３１が発光すると、光源３１から発せられた光は、第二折曲部３７の前面に反射して、ミラー１の外側に向かって進行する。
【００４８】
このとき、照明装置３から発生した熱は、放熱板２に伝導する。放熱板２に伝導した熱は、放熱部２２を介してミラー１に伝導する。これにより、放熱板２は、鏡面１４の防曇領域１５に対して、曇り止め効果を及ぼす。
【００４９】
以上説明したように、本実施形態の照明装置３は、放熱板２の端部が後方に向かって折曲された第一折曲部３６と、この第一折曲部３６の後方側の端部が前記ミラー１の外側に向かって折曲された第二折曲部３７とを備えている。また、照明装置３は、光源３１を備えている。光源３１は、第一折曲部３６の外側の側面に設けられており、ミラー１の外側に向かって発光する。
【００５０】
これにより、実施形態１の効果に加えて、放熱板２の一部を反射板として共用することができる。この結果、反射板（例えば、実施形態１の反射板３２）の部品を削減することができ、コストダウンを図ることができる。
【００５１】
なお、実施形態３の防曇鏡は、照明装置３がミラー１の左右方向の両端部に設けられていたが、実施形態２の防曇鏡のように、上下方向の両端部に設けられたものであってもよい。
【００５２】
また、実施形態１〜３の照明装置３は、左右方向の両端部または上下方向の両端部に設けられていたが、本発明においては、両端部のうちの一方の端部にのみ設けられたものであってもよい。
【符号の説明】
【００５３】
１      ミラー
１１    鏡体
１４    鏡面
１５    防曇領域
１６    非防曇領域
２      放熱板
２１    照明取付部
２２    放熱部
２３    切欠部
３      照明装置
３１    光源
３２    反射板
３３    固定部
３４    傾斜部
３５    反射部
３６    第一折曲部
３７    第二折曲部
４      伝熱材
【図１】
2014171820.tif 000003
【図２】
2014171820.tif 000004
【図３】
2014171820.tif 000005
【図４】
2014171820.tif 000006
【図５】
2014171820.tif 000007
【図６】
2014171820.tif 000008